(57)【特許請求の範囲】
【請求項１】
商用電源からの電力を負荷へ供給可能な分電盤と、
前記商用電源からの電力を充放電可能な第一の蓄電装置、及び前記第一の蓄電装置の充放電を制御する第一のパワーコンディショナーを含み、前記商用電源と連系して前記分電盤へ電力を供給する連系運転と、前記商用電源から独立して前記分電盤へ電力を供給する自立運転とを行う第一のユニットと、
前記第一のユニットの出力側に配置され、前記第一のユニットが前記自立運転時に出力した電力の電圧を昇圧するトランスと、
前記トランスの出力側に配置され、前記分電盤への電力の供給元を前記商用電源又は前記第一のユニットに切り替える切替盤と、
前記商用電源からの電力を充放電可能な第二の蓄電装置、及び前記第二の蓄電装置の充放電を制御する第二のパワーコンディショナーを含み、前記切替盤よりも前記負荷側に配置されて前記分電盤へ電力を供給する第二のユニットと、
前記第二のユニットに設けられ、前記第一のユニット及び前記切替盤と前記商用電源との間の電流及び／又は電圧に関する検出結果に基づいて停電を検知可能な停電検知部と、
を具備し、
前記第一のユニットは、
停電が発生すると前記自立運転を行い、
前記切替盤は、
前記第一のユニットが前記自立運転を行っている間、前記電力の供給元を前記第一のユニットに切り替え、
前記第二のユニットは、
前記停電検知部が停電を検知している場合に、前記第二のパワーコンディショナーで前記第二の蓄電装置の充電を禁止する、
電力供給システム。
【請求項２】
前記第二のユニットは、
前記商用電源と前記負荷とを結ぶ電路に複数配置される、
請求項１に記載の電力供給システム。
【発明の詳細な説明】
【技術分野】
【０００１】
本発明は、蓄電装置を含む複数のユニットと蓄電装置からの電力の電圧を昇圧可能なトランスとを具備する電力供給システムの技術に関する。
【背景技術】
【０００２】
従来、蓄電装置を含む複数のユニットと蓄電装置からの電力の電圧を昇圧可能なトランスとを具備する電力供給システムの技術は公知となっている。例えば、特許文献１に記載の如くである。
【０００３】
特許文献１に記載の電力供給システム（太陽光発電システム）は、太陽光発電設備と蓄電装置とトランス（配電変圧器）とを有する複数のユニットを具備する。太陽光発電設備及び蓄電装置は、トランスを介して配電線の中途部と接続される。配電線は、電力系統と負荷とを接続する。このような電力供給システムにおいては、停電時に太陽光発電設備及び蓄電装置からの電力をトランスを介して配電線へ流通させることで、停電時に全ての負荷へ電力を供給することができる。
【先行技術文献】
【特許文献】
【０００４】
【特許文献１】特開２０１２−１０５３６号公報
【発明の概要】
【発明が解決しようとする課題】
【０００５】
しかし、停電時にトランスを介して配電線へ電力を流通させると、当該電力を下流側（負荷側）のユニットの蓄電装置が充電してしまう可能性がある。これによって、停電時に負荷へ供給される電力量が減少してしまう可能性がある。
【０００６】
本発明は、以上の如き状況を鑑みてなされたものであり、その解決しようとする課題は停電時に負荷へ供給される電力量が減少してしまう事態を回避することが可能な電力供給システムを提供するものである。
【課題を解決するための手段】
【０００７】
本発明の解決しようとする課題は以上の如くであり、次にこの課題を解決するための手段を説明する。
【０００８】
即ち、商用電源からの電力を負荷へ供給可能な分電盤と、前記商用電源からの電力を充放電可能な第一の蓄電装置、及び前記第一の蓄電装置の充放電を制御する第一のパワーコンディショナーを含み、前記商用電源と連系して前記分電盤へ電力を供給する連系運転と、前記商用電源から独立して前記分電盤へ電力を供給する自立運転とを行う第一のユニットと、前記第一のユニットの出力側に配置され、前記第一のユニットが前記自立運転時に出力した電力の電圧を昇圧するトランスと、前記トランスの出力側に配置され、前記分電盤への電力の供給元を前記商用電源又は前記第一のユニットに切り替える切替盤と、前記商用電源からの電力を充放電可能な第二の蓄電装置、及び前記第二の蓄電装置の充放電を制御する第二のパワーコンディショナーを含み、前記切替盤よりも前記負荷側に配置されて前記分電盤へ電力を供給する第二のユニットと、前記第二のユニットに設けられ、前記第一のユニット及び前記切替盤と前記商用電源との間の電流及び／又は電圧に関する検出結果に基づいて停電を検知可能な停電検知部と、を具備し、前記第一のユニットは、停電が発生すると前記自立運転を行い、前記切替盤は、前記第一のユニットが前記自立運転を行っている間、前記電力の供給元を前記第一のユニットに切り替え、前記第二のユニットは、前記停電検知部が停電を検知している場合に、前記第二のパワーコンディショナーで前記第二の蓄電装置の充電を禁止するものである。
【００１０】
前記第二のユニットは、前記商用電源と前記負荷とを結ぶ電路に複数配置されることとしてもよい。
このような構成により、第二のユニットから負荷へ供給可能な電力量を増やすことができる。
【発明の効果】
【００１１】
本発明の効果として、以下に示すような効果を奏する。
【００１２】
停電時に負荷へ供給される電力量が減少してしまう事態を回避することができる。
【図面の簡単な説明】
【００１３】
【図１】第一実施形態に係る電力供給システムの構成を示したブロック図。
【図２】第二のユニットが第一の停電モードで動作する様子を示したブロック図。
【図３】第二のユニットが第二の停電モードで動作する様子を示したブロック図。
【図４】復電した状態を示したブロック図。
【図５】第二実施形態に係る電力供給システムの構成を示したブロック図。
【図６】同じく、第二のユニットが第二の停電モードで動作する様子を示したブロック図。
【図７】同じく、下流側の第二のユニットの蓄電装置の残量がなくなった状態を示したブロック図。
【発明を実施するための形態】
【００１４】
以下では、第一実施形態に係る電力供給システム１について説明する。
【００１５】
図１に示す電力供給システム１は、工場に設けられ、工場の負荷へ電力を供給するものである。電力供給システム１は、分電盤１０、第一のユニット２０、トランス３０、切替盤４０、第二のユニット５０、第一のセンサ６１、第二のセンサ６２及び停電検知センサ７０等を具備する。
【００１６】
分電盤１０は、負荷で使用される電力量に応じて電力の供給元から供給された電力を、当該負荷に分配するものである。分電盤１０は、図示せぬ漏電遮断器や、配線遮断器、制御ユニット等により構成される。分電盤１０内には、負荷へ電力を供給するための一般回路９０が設けられる。分電盤１０は、配電線Ｌ１を介して商用電源８０と接続される。配電線Ｌ１の一端部は、商用電源８０と接続される。配電線Ｌ１の他端部は、分岐して一般回路９０と接続される。分電盤１０には、商用電源８０からの電力が適宜供給される。分電盤１０は、非停電時に一般回路９０を介して商用電源８０からの電力を負荷へ供給する。
【００１７】
第一のユニット２０は、一般回路９０（負荷）へ電力を供給するものである。第一のユニット２０は、太陽光発電装置２１、蓄電装置２２及びパワコン２３を具備する。
【００１８】
太陽光発電装置２１は、太陽光を利用して発電する装置である。太陽光発電装置２１は、枠体に複数の太陽電池を取り付けること等によって構成される太陽電池パネル等を具備する。太陽光発電装置２１は、前記太陽電池パネルの太陽電池に太陽光が当たることで発電する。このような太陽光発電装置２１の設置場所としては、例えば、工場の屋根等の日当たりの良い場所がある。
【００１９】
蓄電装置２２は、太陽光発電装置２１及び商用電源８０からの電力を充放電可能に構成される装置である。蓄電装置２２は、電力を充放電可能なリチウムイオン電池やニッケル水素電池等からなる蓄電池や、供給されてくる交流電力を整流して前記蓄電池に充電させる充電器等を具備する。このような蓄電装置２２の設置場所としては、例えば、分電盤１０の近傍等がある。
【００２０】
パワコン２３は、太陽光発電装置２１及び蓄電装置２２と接続されるハイブリッドパワーコンディショナーである。パワコン２３は、太陽光発電装置２１及び蓄電装置２２よりも商用電源８０側に配置され、異なる二つの配電線を介して太陽光発電装置２１及び蓄電装置２２とそれぞれ接続される。パワコン２３は、太陽光発電装置２１で発電された直流電力を所定の電圧に適宜変換するコンバーターや直流電力を交流電力に変換するインバーターや動作を制御するための制御部等を具備する。パワコン２３は、太陽光発電装置２１で発電された電力及び蓄電装置２２から放電された電力を適宜変換して分電盤１０へ供給可能であると共に、商用電源８０からの電力を蓄電装置２２へ供給（充電）可能に構成される。また、パワコン２３は、太陽光発電装置２１で発電した電力を売電可能（商用電源８０に逆潮流可能）に構成される。
【００２１】
また、パワコン２３は、蓄電装置２２の充放電を適宜行う。パワコン２３は、例えば、予め定められた時間帯や蓄電装置２２の残量が減った場合に、蓄電装置２２を充電させる。また、パワコン２３は、例えば、負荷の消費電力等に応じて蓄電装置２２を放電させる。
【００２２】
このように構成されるパワコン２３は、配電線Ｌ２を介して分電盤１０と接続される。配電線Ｌ２の一端部は、パワコン２３と接続される。配電線Ｌ２の他端部は、配電線Ｌ１の中途部（分電盤１０内）と接続される。また、パワコン２３は、配電線Ｌ３を介して、後述する切替盤４０と接続される。配電線Ｌ３の一端部は、パワコン２３と接続される。配電線Ｌ３の他端部は、切替盤４０と接続される。
【００２３】
このようなパワコン２３は、連系運転及び自立運転を行うことができる。連系運転は、商用電源８０と連系して太陽光発電装置２１及び蓄電装置２２を運転させるものである。自立運転は、商用電源８０から独立して太陽光発電装置２１及び蓄電装置２２を運転させるものである。連系運転及び自立運転を行う場合の電力の供給態様については後で詳述する。
【００２４】
トランス３０は、第一のユニット２０からの電力（自立運転時に出力される電力）の電圧を昇圧し、一般回路９０（負荷）で使用可能にするためのものである。トランス３０は、配電線Ｌ３の中途部に設けられる。
【００２５】
切替盤４０は、分電盤１０への電力の供給元を第一のユニット２０又は商用電源８０に切り替えるものである。切替盤４０は、配電線Ｌ１の中途部（分電盤１０内における配電線Ｌ１・Ｌ２の接続部と一般回路９０との間）に設けられる。切替盤４０は、配電線Ｌ１・Ｌ２を介して、又は配電線Ｌ３を介して第一のユニット２０と接続される。また、切替盤４０は、配電線Ｌ１を介して商用電源８０と接続される。
【００２６】
切替盤４０は、内部に設けられる複数のリレーを制御することで、配電線Ｌ１の切替盤４０よりも下流側を、配電線Ｌ１の切替盤４０よりも上流側又は配電線Ｌ３の何れかと接続するように（電力の供給元を）切り替えることができる。切替盤４０は、配電線Ｌ１の切替盤４０よりも上流側と下流側とを接続することで、電力の供給元を商用電源８０（より詳細には、商用電源８０及び連系運転を行っている第一のユニット２０）に切り替える。また、切替盤４０は、配電線Ｌ３と配電線Ｌ１の切替盤４０よりも下流側とを接続することで、電力の供給元を第一のユニット２０（より詳細には、自立運転を行っている第一のユニット２０）に切り替える。
【００２７】
このような切替盤４０は、パワコン２３と接続される。切替盤４０には、パワコン２３から運転状態に関する信号が送信される。切替盤４０は、当該送信される信号に基づいて、電力の供給元を第一のユニット２０又は商用電源８０に切り替える。
【００２８】
第二のユニット５０は、一般回路９０へ電力を供給するものである。第二のユニット５０は、切替盤４０と一般回路９０との間に配置される。第二のユニット５０は、蓄電装置５１及びパワコン５２を具備する。
【００２９】
第二のユニット５０の蓄電装置５１は、第一のユニット２０の蓄電装置２２と同じように構成される。
【００３０】
パワコン５２は、蓄電装置５１と接続され、蓄電装置５１よりも商用電源８０側に配置される。パワコン５２は、蓄電装置５１から放電された直流電力を所定の電圧に適宜変換するコンバーターや直流電力を交流電力に変換するインバーターや動作を制御するための制御部等を具備する。パワコン５２は、蓄電装置５１から放電された電力を適宜変換して分電盤１０へ供給可能であると共に、太陽光発電装置２１及び商用電源８０からの電力を蓄電装置５１へ供給（充電）可能に構成される。
【００３１】
また、第二のユニットのパワコン５２は、第一のユニット２０のパワコン２３と同様に、蓄電装置５１の充放電を適宜行う。
【００３２】
このように構成される第二のユニット５０のパワコン５２は、配電線Ｌ４を介して分電盤１０と接続される。配電線Ｌ４の一端部は、パワコン５２と接続される。配電線Ｌ４の他端部は、配電線Ｌ１の中途部（分電盤１０内における切替盤４０と一般回路９０との間）と接続される。
【００３３】
このような第二のユニット５０のパワコン５２は、通常モード、第一の停電モード及び第二の停電モードで動作することができる。通常モード、第一の停電モード及び第二の停電モードの内容については後で詳述する。
【００３４】
第一のセンサ６１は、商用電源８０からの電力（買電される電力）及び商用電源８０へ逆潮流される電力（売電される電力）を検出するものである。第一のセンサ６１は、配電線Ｌ１の中途部（分電盤１０内）に設けられる。第一のセンサ６１は、配電線Ｌ１・Ｌ２の接続部と商用電源８０との間に配置される。第一のセンサ６１の検出結果は、商用電源８０からの電力を検出したときに０Ｗよりも大きな値（正の値）となる。また、第一のセンサ６１の検出結果は、商用電源８０へ逆潮流される電力を検出したときに０Ｗよりも小さな値（負の値）となる。第一のセンサ６１は、第一のユニット２０のパワコン２３と接続される。第一のセンサ６１は、その検出結果に関する信号をパワコン２３に送信することができる。
【００３５】
第二のセンサ６２は、第一のユニット２０及び商用電源８０からの電力を検出するものである。第二のセンサ６２は、配電線Ｌ１の中途部（分電盤１０内）に設けられる。第二のセンサ６２は、切替盤４０と配電線Ｌ１・Ｌ４の接続部との間に配置される。第二のセンサ６２は、第二のユニット５０のパワコン５２と接続される。第二のセンサ６２は、その検出結果に関する信号をパワコン５２に送信することができる。
【００３６】
停電検知センサ７０は、第二のユニット５０のパワコン５２で停電を検知するためのものである。停電検知センサ７０は、配電線Ｌ１の中途部（分電盤１０内）に設けられる。停電検知センサ７０は、配電線Ｌ１・Ｌ２の接続部と第一のセンサ６１との間に配置され、商用電源８０からの電力を検出する。停電検知センサ７０は、第二のユニット５０のパワコン５２と接続され、その検出結果に関する信号をパワコン５２に送信することができる。パワコン５２は、停電検知センサ７０の検出結果に基づいて停電を検知する。
【００３７】
次に、このように構成される電力供給システム１において、一般回路９０（負荷）へ電力を供給する流れについて説明する。
【００３８】
まず、図１を用いて、非停電時において一般回路９０へ電力を供給する流れについて説明する。なお、図１に示す状態において、切替盤４０は、電力の供給元を商用電源８０に切り替えているものとする。
【００３９】
非停電時において、分電盤１０には、商用電源８０からの電力が配電線Ｌ１を介して供給される。分電盤１０へ供給される電力は、切替盤４０を流通して一般回路９０へ供給される。これにより、商用電源８０からの電力が負荷へ供給される。第一のセンサ６１は、このような商用電源８０からの電力を検出し、当該検出結果に関する信号を第一のユニット２０のパワコン２３に送信する。
【００４０】
第一のユニット２０のパワコン２３は、第一のセンサ６１から送信される信号に基づいて、停電が発生していないと判断する。パワコン２３は、停電が発生していないと判断すると、連系運転を行う。パワコン２３は、連系運転を行う場合に、太陽光発電装置２１で発電した電力及び蓄電装置２２から放電した電力を、配電線Ｌ２へ流通させる。これにより、パワコン２３は、配電線Ｌ１・Ｌ２を介して一般回路９０へ電力を供給する。
【００４１】
第一のユニット２０のパワコン２３は、連系運転を行う場合に、第一のセンサ６１の検出結果（商用電源８０から供給される電力量）に基づいて、一般回路９０へ供給する電力量を調整する負荷追従運転を行う。この際、パワコン２３は、第一のセンサ６１の検出結果が所定の値となるように、供給する電力量を調整する。
【００４２】
第二のセンサ６２は、このような第一のユニット２０からの電力及び商用電源８０からの電力を検出し、当該検出結果に関する信号を第二のユニット５０のパワコン５２に送信する。また、停電検知センサ７０は、第一のセンサ６１と同様に、商用電源８０からの電力を検出し、当該検出結果に関する信号をパワコン５２に送信する。
【００４３】
第二のユニット５０のパワコン５２は、第二のセンサ６２及び停電検知センサ７０から送信される信号に基づいて、停電が発生していないと判断する。パワコン５２は、停電が発生していないと判断すると、通常モードで動作する。
【００４４】
通常モードは、非停電時に選択されるモードであり、商用電源８０と連系して第二のユニット５０の蓄電装置５１の充放電を行うことを目的としたモードである。パワコン５２は、通常モードで動作する場合、蓄電装置５１の充放電を許可する。また、パワコン５２は、通常モードにおいて連系運転を行う。このとき、パワコン５２は、蓄電装置５１から放電した電力を、配電線Ｌ４へ流通させる。これにより、パワコン５２は、配電線Ｌ１・Ｌ４を介して一般回路９０へ電力を供給する。
【００４５】
第二のユニット５０のパワコン５２は、連系運転を行う（通常モードで動作する）場合に、第二のセンサ６２の検出結果（商用電源８０等から供給される電力量）に基づいて、一般回路９０へ供給する電力量を調整する負荷追従運転を行う。この際、パワコン５２は、第二のセンサ６２の検出結果が所定の値となるように、供給する電力量を調整する。
【００４６】
このような非停電時において、第一のユニット２０のパワコン２３は、太陽光発電装置２１で発電した電力を蓄電装置２２に充電する。また、パワコン２３は、太陽光発電装置２１で発電した電力が余った場合に、当該余った電力を商用電源８０へ逆潮流させる。また、第二のユニット５０のパワコン５２は、非停電時において、太陽光発電装置２１及び商用電源８０からの電力を蓄電装置５１に適宜充電する。
【００４７】
次に、図２及び図３を用いて、停電時において一般回路９０へ電力を供給する流れについて説明する。
【００４８】
第二のユニット５０のパワコン５２は、第二のセンサ６２及び停電検知センサ７０から送信される信号に基づいて、停電が発生したと判断する。この場合、パワコン５２は、第一の停電モードで動作する（通常モードから第一の停電モードに切り替える）。
【００４９】
第一の停電モードは、停電が発生したときに選択されるモードであり、商用電源８０から独立して動作することを目的としたモードである。パワコン５２は、第一の停電モードで動作する場合、自立運転を行う。このとき、パワコン５２は、蓄電装置５１から放電した電力を自立運転コンセントから出力することができる。これによって、第二のユニット５０においては、配電線Ｌ４を介した電力の流通を禁止して、前記自立コンセントに接続された特定の負荷だけに電力を供給することができる。
【００５０】
第一のユニット２０のパワコン２３は、第一のセンサ６１から送信される信号に基づいて、停電が発生したと判断する。この場合、パワコン２３は、連系運転から自立運転に切り替える（自立運転を行う）。パワコン２３は、自立運転を行う場合に、配電線Ｌ３へ電力を流通させる。
【００５１】
第一のユニット２０のパワコン２３は、このような自立運転を行うときに（例えば、停電が発生していると判断した直後や配電線Ｌ３に電力を流通させた後で）、運転状態に関する信号を切替盤４０に送信する。切替盤４０は、パワコン２３から送信される信号に基づいて、パワコン２３が自立運転を行っていることを検知する。そして、切替盤４０は、電力の供給元を第一のユニット２０に切り替える。
【００５２】
これにより、図３に示すように、第一のユニット２０からの電力（自立運転時に出力される電力）は、配電線Ｌ３を流通するときにトランス３０で昇圧されて切替盤４０へ供給され、配電線Ｌ１から一般回路９０へ供給される。
【００５３】
これによって、第一のユニット２０は、停電時に自立コンセントに接続された特定の負荷だけに電力を供給するのではなく、非停電時と同じ電路（配電線Ｌ１）を用いて一般回路９０（すなわち全ての負荷）へ電力を供給することができる。これにより、運用性を向上することができる。
【００５４】
第一のユニット２０からの電力が配電線Ｌ１を流通するようになると、第二のセンサ６２は、当該電力を検出する。第二のセンサ６２は、当該検出結果に関する信号を第二のユニット５０のパワコン５２に送信する。また、停電検知センサ７０は、停電発生時と同じ検出結果に関する信号を引き続きパワコン５２に送信する。
【００５５】
第二のユニット５０のパワコン５２は、このような第二のセンサ６２及び停電検知センサ７０から送信される信号に基づいて、第一のユニット２０が自立運転を行っていると判断する。パワコン５２は、第一のユニット２０が自立運転を行っていると判断すると、第二の停電モードで動作する（第一の停電モードから第二の停電モードに切り替える）。
【００５６】
第二の停電モードは、第一のユニット２０が自立運転を行っているときに選択されるモードであり、商用電源８０と擬似的に連系して第二のユニット５０の蓄電装置５１の放電のみを行うことを目的としたモードである。パワコン５２は、第二の停電モードにおいて、第一のユニット２０を商用電源８０と見立てて連系運転を行う。これにより、パワコン５２は、実際には、停電となっている商用電源８０とは連系していないものの、あたかも商用電源８０と連系しているかのように、配電線Ｌ１に配置された第二のセンサ６２の検出結果に基づいて負荷追従運転を行う。
【００５７】
また、第二のユニット５０のパワコン５２は、第二の停電モードで動作する場合、蓄電装置５１の充電を禁止する（放電のみ許可する）。すなわち、パワコン５２は、商用電源８０と擬似的に連系した（自立運転を行っている第一のユニット２０と連係した）場合に蓄電装置５１の充電を禁止するように、蓄電装置５１の動作を制御する。
【００５８】
これによれば、第一のユニット２０が自立運転を行った場合に、配電線Ｌ１を流通する電力を蓄電装置５１に充電することを防止できる。これによって、第一のユニット２０が自立運転を行った場合に、第一のユニット２０からの電力を、蓄電装置５１に奪われることなく一般回路９０へ供給することができる。このため、停電時に負荷へ供給される電力量が減少してしまう事態を回避することができる。
【００５９】
また、第二のユニット５０のパワコン５２は、第二の停電モードで動作するときに、第二のセンサ６２の検出結果に応じて蓄電装置５１を放電させ、当該放電させた電力を配電線Ｌ４に流通させる。これにより、パワコン５２は、蓄電装置５１から放電させた電力を一般回路９０へ供給することができる。これによって、第一のユニット２０及び第二のユニット５０からの電力を、配電線Ｌ１を介して一般回路９０へまとめて供給することができる。これによれば、停電時に使用される電力を第一のユニット２０及び第二のユニット５０で賄うことができるため、停電時に一般回路９０へ長期間電力を供給することができる。
【００６０】
次に、図４を用いて、復電時における電力供給システム１の動作について説明する。
【００６１】
第一のユニット２０のパワコン２３は、第一のセンサ６１から送信される信号に基づいて、復電したと判断する。パワコン２３は、復電したと判断すると、連系運転を再開する（自立運転から連系運転に切り替える）。
【００６２】
また、第一のユニット２０のパワコン２３は、連系運転を再開するときに（復電したと判断した直後や配電線Ｌ２に電力を流通させた後で）、運転状態に関する信号を切替盤４０に送信する。切替盤４０は、パワコン２３から送信される信号に基づいて、連系運転を再開したことを検知する。そして、切替盤４０は、電力の供給元を商用電源８０に切り替える。
【００６３】
第二のユニット５０のパワコン５２は、第二のセンサ６２及び停電検知センサ７０から送信される信号に基づいて、復電したと判断する。パワコン５２は、復電したと判断すると、通常モードで蓄電装置５１を動作させる。すなわち、パワコン５２は、商用電源８０と実際に連係しつつ、蓄電装置５１の充電を許可する。
【００６４】
これによって、第二のユニット５０のパワコン５２は、復電したときに、太陽光発電装置２１及び商用電源８０からの電力を蓄電装置５１に適宜充電させたり、蓄電装置５１を適宜放電させることができる。
【００６５】
以上によって、復電時の動作が完了し、非停電時の運転に戻る。
【００６６】
以上の如く、第一実施形態に係る電力供給システム１は、商用電源８０からの電力を負荷へ供給可能な分電盤１０と、前記商用電源８０からの電力を充放電可能な蓄電装置２２（第一の蓄電装置）、及び前記蓄電装置２２の充放電を制御するパワコン２３（第一のパワーコンディショナー）を含み、前記商用電源８０と連系して前記分電盤１０へ電力を供給する連系運転と、前記商用電源８０から独立して前記分電盤１０へ電力を供給する自立運転とを行う第一のユニット２０と、前記第一のユニット２０の出力側に配置され、前記第一のユニット２０が前記自立運転時に出力した電力の電圧を昇圧するトランス３０と、前記トランス３０の出力側に配置され、前記分電盤１０への電力の供給元を前記商用電源８０又は前記第一のユニット２０に切り替える切替盤４０と、前記商用電源８０からの電力を充放電可能な蓄電装置５１（第二の蓄電装置）、及び前記蓄電装置５１の充放電を制御するパワコン５２（第二のパワーコンディショナー）を含み、前記切替盤４０よりも前記負荷側に配置されて前記分電盤１０へ電力を供給する第二のユニット５０と、前記第二のユニット５０に設けられ、停電を検知可能なパワコン５２（停電検知部）と、を具備し、前記第一のユニット２０は、停電が発生すると前記自立運転を行い、前記切替盤４０は、前記第一のユニット２０が前記自立運転を行っている間、前記電力の供給元を前記第一のユニット２０に切り替え、前記第二のユニット５０は、前記パワコン５２が停電を検知している場合に、前記パワコン５２で前記蓄電装置５１の充電を禁止するものである。
【００６７】
このように構成することにより、第二のユニット５０は、第一のユニット２０が自立運転を行っているのか復電したのかを判別することが可能となる。また、第一のユニット２０が自立運転を行っている間、第二のユニット５０の蓄電装置５１の放電を禁止することができる。これによって、第一のユニット２０が自立運転しているときに出力した電力を第二のユニット５０の蓄電装置５１で充電してしまうことを防止できるため、停電時に負荷へ供給される電力量が減少してしまう事態を回避することができる。
【００６８】
また、前記パワコン５２は、前記第一のユニット２０及び前記切替盤４０と前記商用電源８０との間の電流及び／又は電圧に関する検出結果に基づいて停電を検知するものである。
【００６９】
このように構成することにより、簡易な構成により、停電を正しく検知することができる。具体的には、第一のユニット２０及び切替盤４０と商用電源８０との間の一箇所の電力等を検出するだけで停電を検知することができるため、電力等の検出箇所を減らして構成を簡素化することができる。また、停電時に第一のユニット２０の蓄電装置２２から放電された電力が（非停電時にも使用される）配電線Ｌ１に流通した場合であっても、当該流通した電力を検出しないため、停電を正しく検知することができる。
【００７０】
なお、第一実施形態に係る蓄電装置２２は、第一の蓄電装置の実施の一形態である。
また、第一実施形態に係るパワコン２３は、第一のパワーコンディショナーの実施の一形態である。
また、第一実施形態に係る蓄電装置５１は、第二の蓄電装置の実施の一形態である。
また、第一実施形態に係るパワコン５２は、第二のパワーコンディショナー及び停電検知部の実施の一形態である。
【００７１】
次に、第二実施形態に係る電力供給システム１０１について説明する。なお、以下においては、第一実施形態に係る電力供給システム１と同様に構成される部材については、第一実施形態と同様の符号を付し、その説明を省略する。
【００７２】
図５に示すように、第二実施形態に係る電力供給システム１０１は、第一実施形態に係る電力供給システム１の構成に加えて、第二のユニット１５０及び第三のセンサ６３を具備する。
【００７３】
第二のユニット１５０は、配電線Ｌ１・Ｌ４の接続部と一般回路９０との間、すなわち第二のユニット５０よりも下流（負荷）側に配置される。第二のユニット１５０は、蓄電装置１５１及びパワコン１５２を具備する。第二のユニット１５０の蓄電装置１５１及びパワコン１５２は、第二のユニット５０の蓄電装置５１及びパワコン５２と同じように構成される。パワコン１５２は、配電線Ｌ５を介して分電盤１０と接続される。配電線Ｌ５の一端部は、パワコン１５２と接続される。配電線Ｌ５の他端部は、配電線Ｌ１の中途部（分電盤１０内における配電線Ｌ１・Ｌ４の接続部と一般回路９０との間）と接続される。パワコン１５２は、停電検知センサ７０と接続され、停電検知センサ７０から検出結果に関する信号が送信される。
【００７４】
第三のセンサ６３は、第一のユニット２０、第二のユニット５０及び商用電源８０からの電力を検出するものである。第三のセンサ６３は、配電線Ｌ１・Ｌ４の接続部と配電線Ｌ１・Ｌ５の接続部との間に配置される。第三のセンサ６３は、下流側の第二のユニット１５０のパワコン１５２と接続され、その検出結果に関する信号をパワコン１５２に送信することができる。
【００７５】
下流側の第二のユニット１５０のパワコン１５２は、第三のセンサ６３及び停電検知センサ７０の検出結果に基づいて停電を検知する。仮に、停電を検知しなかった場合、パワコン１５２は、通常モードで動作する。このとき、パワコン１５２は、第三のセンサ６３の検出結果に基づいて、一般回路９０へ供給する電力量を調整する負荷追従運転を行う。一方、停電を検知した場合、パワコン１５２は、第一の停電モードで動作する。
【００７６】
また、第三のセンサ６３が配電線Ｌ１を流通する電力を検出すると共に停電検知センサ７０が配電線Ｌ１を流通する電力を検出していない場合、第二のユニット１５０のパワコン１５２は、第一のユニット２０のパワコン２３が自立運転を行っていると判断し、第二の停電モードで動作する。このとき、図６に示すように、パワコン１５２は、第二の停電モードで動作する上流側の第二のユニット５０と共に、配電線Ｌ１を介して電力を一般回路９０へ供給する。一方、第三のセンサ６３及び停電検知センサ７０が配電線Ｌ１を流通する電力をそれぞれ検出した場合、パワコン１５２は、復電したと判断し、通常モードで動作する。
【００７７】
以上によれば、下流側の第二のユニット１５０のパワコン１５２は、停電時（第一のユニット２０の自立運転時）に蓄電装置１５１の充電を禁止することができる。これによって、第一のユニット２０及び上流側の第二のユニット５０からの電力を、蓄電装置１５１に奪われることなく一般回路９０へ供給することができる。また、パワコン１５２は、第一のユニット２０が自立運転を行っているときに、第三のセンサ６３の検出結果に応じて蓄電装置１５１を放電させることができる。これによって、停電時に第一のユニット２０及び第二のユニット５０・１５０で一般回路９０の電力を賄うことができるため、停電時に負荷へ長期間電力を供給することができる。
【００７８】
なお、電力供給システム１０１においては、最も下流側に配置される第二のユニット１５０の蓄電装置１５１から優先的に放電させる。また、電力供給システム１０１においては、図７に示すように、下流側の第二のユニット１５０の蓄電装置１５１の残量がなくなったとき（電力を供給することができなくなったとき）等に、蓄電装置５１から優先的に放電させる。このように、複数の第二のユニット（第二実施形態においては、第二のユニット５０・１５０）が設けられた場合、下流側に配置される第二のユニットからの電力が、上流側に配置される第二のユニットからの電力に優先して一般回路９０へ供給される。
【００７９】
以上の如く、第二実施形態に係る電力供給システム１０１において、前記第二のユニット５０・１５０は、配電線Ｌ１（前記商用電源８０と前記負荷とを結ぶ電路）に複数配置されるものである。
【００８０】
このように構成することにより、第二のユニット５０・１５０の蓄電装置５１・１５１のように設置台数を増やすことができるため、第二のユニット５０・１５０から負荷へ供給可能な電力量を増やすことができる。
【００８１】
なお、第二実施形態に係る第二のユニット５０・１５０は、複数の第二のユニットの実施の一形態である。
また、第二実施形態に係る配電線Ｌ１は、商用電源と負荷とを結ぶ電路の実施の一形態である。
【００８２】
以上、本発明の実施形態を説明したが、本発明は上記構成に限定されるものではなく、特許請求の範囲に記載された発明の範囲内で種々の変更が可能である。
【００８３】
例えば、電力供給システム１の適用対象は、工場に限定されるものでない。すなわち、電力供給システム１は、工場以外の場所にも適用可能である。具体的には、事業所や集合住宅等に適用することができる。
【００８４】
また、第一のユニット２０及び第二のユニット５０・１５０は、発電能力の有無を問わない。すなわち、第一のユニット２０は、太陽光発電装置２１を具備していなくてもよい。また、第二のユニット５０・１５０は、太陽光発電装置を具備していてもよい。
【００８５】
また、切替盤４０は、停電を検知して電力の供給元を切り替えてもよい。この場合、切替盤４０は、停電が発生したことを検知すると電力の供給元を第一のユニット２０に切り替えると共に、復電を検知すると電力の供給元を商用電源８０に切り替えることとしてもよい。
【００８６】
また、第二のユニット５０・１５０のパワコン５２・１５２は、第一の停電モードで動作する場合に、自立運転を行わなくてもよい。すなわち、パワコン５２は、自立運転機能を有しないものであってもよい。
【００８７】
また、第二のユニット５０のパワコン５２は、停電検知センサ７０からの信号に基づいて第一のユニット２０のパワコン２３が自立運転を行っているのか復電したのかを判断したが、自立運転と復電とを判断するためのセンサは、停電検知センサ７０に限定されるものでない。すなわち、自立運転と復電とを判断するためのセンサは、例えば、第一のセンサ６１であってもよい。この場合、第一のセンサ６１は、パワコン５２と接続され、その検出結果に関する信号をパワコン５２に送信する。これによって、第一のセンサ６１は、停電検知部として機能する。これによれば、第一のセンサ６１（一つのセンサ）の検出結果に基づいてパワコン２３・５２を動作させることができるため、センサの設置台数を減らしてコストを低減することができる。
【００８８】
また、停電検知センサ７０は、配電線Ｌ１を流通する電力を検出するものとしたが、停電検知センサ７０の検出対象は、電力に限定されるものでなく、電圧や電流であってもよい。
【００８９】
また、停電検知センサ７０は、配電線Ｌ１・Ｌ２の接続部と第一のセンサ６１との間に配置されるものとしたが、停電検知センサ７０が配置される位置は、これに限定されるものでない。停電検知センサ７０は、第一のユニット２０及び切替盤４０と商用電源８０との電力等を検出可能であれば、その配置を適宜変更することが可能である。具体的には、停電検知センサ７０は、分電盤１０内における第一のセンサ６１よりも上流側や分電盤１０と商用電源８０との間に配置されていてもよい。
【００９０】
また、本実施形態においては、停電検知センサ７０からの信号に基づいて第二のユニット５０・１５０のパワコン５２・１５２が停電を検知するものとしたが、これに限定されるものでなく、停電検知センサ７０自身により停電を検知してもよい。この場合、停電検知センサ７０が停電検知部として機能する。
【００９１】
また、第二実施形態に係る電力供給システム１０１は、二つの第二のユニット５０・１５０を具備するものとしたが、第二のユニットの個数はこれに限定されるものでなく、三つ以上であってもよい。
【符号の説明】
【００９２】
１    電力供給システム
１０  分電盤
２０  第一のユニット
２２  蓄電装置（第一の蓄電装置）
２３  パワコン（第一のパワーコンディショナー）
３０  トランス
４０  切替盤
５０  第二のユニット
５１  蓄電装置（第二の蓄電装置）
５２  パワコン（第二のパワーコンディショナー、停電検知部）
７０  停電検知センサ
【図１】
0006620346.tif 000002
【図２】
0006620346.tif 000003
【図３】
0006620346.tif 000004
【図４】
0006620346.tif 000005
【図５】
0006620346.tif 000006
【図６】
0006620346.tif 000007
【図７】
0006620346.tif 000008